(57)【要約】【課題】長期間に渡り貯蔵安定性を改善する油性磁性インクを提供することである。【解決手段】フェライト粒子と、分散剤と、石油系炭化水素溶剤と、脂肪酸エステル系溶剤と、グリコールエーテル系溶剤及びアルカンジオール系溶剤のうち少なくとも一方とを含み、グリコールエーテル系溶剤は、Ｒ１Ｏ−（Ｒ２Ｏ）ｍ−Ｈで表される化合物であって、Ｒ１が炭素数４〜８のアルキル基であり、Ｒ２が炭素数２又は３のアルキレン基であり、ｍが３又は４であり、アルカンジオール系溶剤の炭素数は６〜１０である、油性磁性インクである。【選択図】なし【特許請求の範囲】
【請求項１】
フェライト粒子と、分散剤と、石油系炭化水素溶剤と、脂肪酸エステル系溶剤と、グリコールエーテル系溶剤及びアルカンジオール系溶剤のうち少なくとも一方とを含み、前記グリコールエーテル系溶剤は、Ｒ１Ｏ−（Ｒ２Ｏ）ｍ−Ｈで表される化合物であって、Ｒ１が炭素数４〜８のアルキル基であり、Ｒ２が炭素数２又は３のアルキレン基であり、ｍが３又は４であり、前記アルカンジオール系溶剤の炭素数は６〜１０である、油性磁性インク。
【請求項２】
前記分散剤の酸価は、５ｍｇＫＯＨ/ｇ以上である、請求項１に記載の油性磁性インク。
【請求項３】
前記分散剤のアミン価は、１５ｍｇＫＯＨ/ｇ以下である、請求項１又は２に記載の油性磁性インク。
【請求項４】
前記石油系炭化水素溶剤と前記脂肪酸エステル系溶剤との質量比は８０：２０〜３０：７０である、請求項１から３のいずれか１項に記載の油性磁性インク。
【請求項５】
インクジェットインクである、請求項１から４のいずれか１項に記載の油性磁性インク。
【発明の詳細な説明】
【技術分野】
【０００１】
本発明は、油性磁性インクに関する。
【背景技術】
【０００２】
小切手や紙幣などの印刷に用いられるセキュリティ印刷の一種として、磁性粒子を含む画像を形成する磁気印刷が知られている。磁気インクで印刷された磁気情報を磁気ヘッドで読み取る方法として、磁気インク文字認識システム（ＭＩＣＲ）がある。この磁気インクには磁性粒子が含まれており、一般にフェライト粒子が用いられる。
磁気印刷で用いられる印刷方法としては、従来、磁性インクを用いた方法の他に、磁性トナーや磁性インクリボンを用いた方法が知られているが、近年、印刷コスト等の点から磁性インクを用いたインクジェット印刷方法の開発が進められている。そのため、磁性粒子をインク中に分散する技術が求められている。
【０００３】
インクジェット印刷方式は、流動性の高いインクジェットインクを微細なノズルから液滴として噴射し、ノズルに対向して置かれた記録媒体に画像を記録するものであり、低騒音で高速印字が可能であることから、近年急速に普及している。このようなインクジェット印刷方式に用いられるインクとして、水を主溶媒として含有する水性インク、重合性モノマーを主成分として高い含有量で含有する紫外線硬化型インク（ＵＶインク）、ワックスを主成分として高い含有量で含有するホットメルトインク（固体インク）とともに、非水系溶剤を主溶媒として含有する、いわゆる非水系インクが知られている。非水系インクは、主溶媒が揮発性有機溶剤であるソルベントインク（溶剤系インク）と、主溶媒が低揮発性あるいは不揮発性の有機溶剤である油性インク（オイル系インク）に分類できる。ソルベントインクは主に有機溶剤の蒸発によって記録媒体上で乾燥するのに対して、油性インクは記録媒体への浸透が主となって乾燥する。
油性インクジェットインクはインク中に含まれる揮発成分が少ないため、開放放置されたヘッドノズル近傍のインクの粘度変化が少なく吐出回復性に優れ、また油成分は印刷用紙の繊維内部への浸透が少なく、用紙のカールが少ない。そのため、高速インクジェットプリンターに適したインクである。
【０００４】
特許文献１（特開２０１２−１９３３６６号公報）には、圧電プリントヘッドを用いて印刷できる磁気インクとして、非水系キャリアとコーティングされた磁気ナノ粒子とを用いたインクが提案されている。特許文献１の記載では、微細な金属ナノ粒子の自然発火を防止するために、水及び空気に曝されないように保護されたコーティングされた磁気ナノ粒子を用いている。
【０００５】
特許文献２（特開２０１６−１５０９８５号公報）には、顔料等の色材と溶剤とを含む溶剤系インクジェットインク組成物において、溶剤として、一般式Ｒ１Ｏ−（Ｒ２Ｏ）ｍ−Ｒ３で示される化合物の構造中の主骨格であるオキシアルキレン基の付加モル数のみが１個違いであるものを２種以上配合することで、印刷物の乾燥性とインクのメディア上での濡れ拡がりの挙動のバランスを図ることができることが提案されている。
【先行技術文献】
【特許文献】
【０００６】
【特許文献１】特開２０１２−１９３３６６号公報
【特許文献２】特開２０１６−１５０９８５号公報
【発明の概要】
【発明が解決しようとする課題】
【０００７】
一般に、ＭＩＣＲ用の磁気インクでは、文字を読み取るためにフェライト粒子の濃度を高める必要があるが、フェライト粒子が高濃度になると分散安定性も低下し、特に長期に渡る保管では粘度変化が顕著となって、貯蔵安定性が低下する問題がある。また、フェライト粒子は、一般的なインクに用いられる顔料に比べて、比重が大きいため、貯蔵安定性がより問題になる。
特許文献１には、磁気インクの溶媒について各種の溶媒が例示されるが、実施例においては、石油系炭化水素溶剤が用いられている。石油系炭化水素溶剤は、低極性の溶剤であるため、分散剤の溶解性が低く、分散効果が期待するほど得られない問題がある。
特許文献２では、高極性の溶剤のみを用いていることから、長期に渡って顔料粒子の分散安定性を維持するためには問題が発生し得る。また、特許文献２に記載の溶剤構成では、フェライト粒子のような比重が大きい粒子の分散安定性を確保することが難しい問題がある。
【０００８】
本発明の一目的としては、長期間に渡り貯蔵安定性を改善する油性磁性インクを提供することである。
【課題を解決するための手段】
【０００９】
一実施形態としては、フェライト粒子と、分散剤と、石油系炭化水素溶剤と、脂肪酸エステル系溶剤と、グリコールエーテル系溶剤及びアルカンジオール系溶剤のうち少なくとも一方とを含み、前記グリコールエーテル系溶剤は、Ｒ１Ｏ−（Ｒ２Ｏ）ｍ−Ｈで表される化合物であって、Ｒ１が炭素数４〜８のアルキル基であり、Ｒ２が炭素数２又は３のアルキレン基であり、ｍが３又は４であり、前記アルカンジオール系溶剤の炭素数は６〜１０である、油性磁性インクである。
【発明の効果】
【００１０】
一実施形態によれば、長期間に渡り貯蔵安定性を改善する油性磁性インクを提供することができる。
【発明を実施するための形態】
【００１１】
以下、本発明を一実施形態を用いて説明する。以下の実施形態における例示が本発明を限定することはない。
【００１２】
一実施形態による油性磁性インク（以下、単にインク又は磁性インクと称することがある。）としては、フェライト粒子と、分散剤と、石油系炭化水素溶剤と、脂肪酸エステル系溶剤と、グリコールエーテル系溶剤及びアルカンジオール系溶剤のうち少なくとも一方とを含み、グリコールエーテル系溶剤は、Ｒ１Ｏ−（Ｒ２Ｏ）ｍ−Ｈで表される化合物であって、Ｒ１が炭素数４〜８のアルキル基であり、Ｒ２が炭素数２又は３のアルキレン基であり、ｍが３又は４であり、アルカンジオール系溶剤の炭素数は６〜１０であることを特徴とする。
これによれば、長期間に渡り貯蔵安定性を改善する油性磁性インクを提供することができる。
【００１３】
フェライト粒子の表面は高極性であるために、非水系溶剤に対して濡れ性が低下し、また分散剤の吸着性が十分に得られないことから、非水系溶剤中でのフェライト粒子の分散安定性が低下する一因となる。
低極性成分である石油系炭化水素溶剤と高極性成分である脂肪酸エステル系溶剤とを組み合わせて用いることで、非水系溶剤全体の極性バランスを好ましい範囲に調節し、フェライト粒子の分散安定性を改善することができる。
一実施形態によるグリコールエーテル系溶剤及びアルカンジオール系溶剤は、それぞれ高極性成分であるため、分散剤との親和性とフェライト粒子との親和性を向上させると考えられる。そのため、一実施形態によるグリコールエーテル系溶剤及びアルカンジオール系溶剤のうち少なくとも一方を非水系溶剤に含ませることで、非水系溶剤への分散剤の溶解性を高めることができ、また、非水系溶剤に対するフェライト粒子の濡れ性を高めることができる。これによって、フェライト粒子への分散剤の吸着性をより高め、非水系溶剤中でのフェライト粒子の分散安定性をより高めることができる。
また、フェライト粒子は比重が大きいため非水系溶剤中で沈降し、濃度勾配が発生する問題がある。これに対して、一実施形態によるグリコールエーテル系溶剤及びアルカンジオール系溶剤のうち少なくとも一方を添加することで、濃度勾配が発生しても、長期に渡って、フェライト粒子の分散安定性を改善することができる。
【００１４】
磁性インクには、フェライト粒子が含まれることが好ましい。
フェライト粒子は、Ｍｎ、Ｆｅ、Ｃｏ、Ｎｉ、Ｃｕ、Ｚｎ、Ｂａ、Ｓｒ、Ｐｂ等の二価遷移金属の鉄（ＩＩＩ）酸塩によって形成される粒子であって、フェリ磁性を示すことができる。
フェライト粒子としては、マグネタイト、コバルトフェライト、マンガンコバルトフェライト、バリウムフェライト等を好ましく用いることができる。
フェライト粒子は、表面がポリマー、無機化合物等の固形物でコーティングされていないことが好ましい。フェライト粒子表面がコーティングされておらず、フェライト粒子に分散剤が直接吸着されることで、Ｍｎ、Ｆｅ、Ｃｏ等の金属原子と結合しているヒドロキシ基等の官能基が、分散剤の官能基と酸塩基相互作用等をして、フェライト粒子の分散安定性をより改善することができる。
【００１５】
フェライト粒子の平均粒子径は、例えば５ｎｍ〜３００ｎｍであってよく、インクジェットノズルからの吐出適性、インク中での分散安定性の観点から、好ましくは５〜２００ｎｍであり、より好ましくは５〜１５０ｎｍである。
ここで、フェライト粒子の平均粒子径は、動的散乱方式による体積基準の平均粒子径であり、例えば、株式会社堀場製作所製のナノ粒子解析装置「ＳＺ−１００Ｓ」等を用いて測定することができる。以下同じである。
【００１６】
フェライト粒子は、インク全量に対し、１質量％以上であることが好ましく、より好ましくは１０質量％以上であり、さらに好ましくは３０質量％以上であり、一層好ましくは３５質量％以上である。これによって、印刷画像の視認性とともに磁気強度を高めることができる。
フェライト粒子は、インク全量に対し、５０質量％以下であることが好ましく、より好ましくは４５質量％以下である。フェライト粒子は、比較的比重が大きいが、一実施形態による３種類の溶剤を組み合わせて用いることで、フェライト粒子を高濃度としても、分散安定性を良好に維持することができる。
【００１７】
磁性インクは、グリコールエーテル系溶剤及びアルカンジオール系溶剤のうち少なくとも一方を含むことができる。
グリコールエーテル系溶剤としては、Ｒ１Ｏ−（Ｒ２Ｏ）ｍ−Ｈで表される化合物が好ましい。
ここで、Ｒ１は、炭素数４〜８のアルキル基であることが好ましく、より好ましくは炭素数４〜６のアルキル基であり、直鎖又は分岐であってよい。Ｒ１の炭素数が４以上であることで、石油系炭化水素溶剤に対する相溶性を高めて、３種類の溶剤の均一性を改善し、インクの貯蔵安定性をより改善することができる。Ｒ１の炭素数が８以下であることで、グリコールエーテル系溶剤自体の高粘度化を防止し、インク全体の粘度上昇を防止することができる。
Ｒ１は、具体的には、ｎ−ブチル基、イソブチル基、ｓｅｃ−ブチル基、ｔｅｒｔ−ブチル基、ペンチル基、ヘキシル基、ヘプチル基、オクチル基、イソオクチル基、２−エチルヘキシル基等が挙げられ、好ましくはｎ−ブチル基である。
【００１８】
また、Ｒ２は、炭素数２又は３のアルキレン基であることが好ましく、具体的にはエチレン基、プロピレン基、トリメチレン基等が挙げられ、より好ましくはエチレン基である。
ｍは、３又は４が好ましい。
一実施形態によるグリコールエーテル系溶剤は、エチレングリコール又はプロピレングリコールの３又は４の繰り返し構造を備えることが好ましい。これによって、溶剤自体の高粘度化を抑制しながら、フェライト粒子と分散剤とに対して親和性を高めることができる。
【００１９】
グリコールエーテル系溶剤の具体例としては、トリエチレングリコールモノブチルエーテル、トリエチレングリコールモノペンチルエーテル、トリエチレングリコールモノヘキシルエーテル、トリエチレングリコールモノヘプチルエーテル、トリエチレングリコールモノ−２−エチルヘキシルエーテル、トリエチレングリコールモノオクチルエーテル等のトリエチレングリコールモノアルキルエーテル；テトラエチレングリコールモノブチルエーテル、テトラエチレングリコールモノペンチルエーテル、テトラエチレングリコールモノヘキシルエーテル、テトラエチレングリコールモノヘプチルエーテル、テトラエチレングリコールモノ−２−エチルヘキシルエーテル、テトラエチレングリコールモノオクチルエーテル等のテトラエチレングリコールモノアルキルエーテル；トリプロピレングリコールモノブチルエーテル、トリプロピレングリコールモノペンチルエーテル、トリプロピレングリコールモノヘキシルエーテル、トリプロピレングリコールモノヘプチルエーテル、トリプロピレングリコールモノ−２−エチルヘキシルエーテル、トリプロピレングリコールモノオクチルエーテル等のトリプロピレングリコールモノアルキルエーテル；テトラプロピレングリコールモノブチルエーテル、テトラプロピレングリコールモノペンチルエーテル、テトラプロピレングリコールモノヘキシルエーテル、テトラプロピレングリコールモノヘプチルエーテル、テトラプロピレングリコールモノ−２−エチルヘキシルエーテル、テトラプロピレングリコールモノオクチルエーテル等のテトラプロピレングリコールモノアルキルエーテル等が挙げられる。
上記したグリコールエーテル系溶剤は、それぞれ単独で、又は２種以上を組み合わせて用いてもよい。
【００２０】
アルカンジオール系溶剤としては、炭素数が６〜１０であるアルカンジオール系溶剤が好ましい。例えば、アルカンジオール系溶剤としては、炭素数６〜１０、より好ましくは８〜１０の直鎖又は分岐のアルカンに、２個のヒドロキシ基が結合する化合物が好ましい。
アルカンジオール系溶剤の炭素数が６以上であることで、石油系炭化水素溶剤に対する相溶性を高めて、３種類の溶剤の均一性を改善し、インクの貯蔵安定性をより改善することができる。アルカンジオール系溶剤の炭素数が１０以下であることで、アルカンジオール系溶剤自体が溶媒としての流動性を備えることができ、インク全体の粘度上昇を防止することができる。
【００２１】
アルカンジオール系溶剤の具体例としては、１，６−ヘキサンジオール、１，７−ヘプタンジオール、１，８−オクタンジオール、１，９−ノナンジオール、１，１０−デカンジオール、１，２−ヘキサンジオール、２，５−ヘキサンジオール、１，２−ヘプタンジオール、１，２−オクタンジオール、１，２−ノナンジオール、１，２−デカンジオール、２−メチル−１，５−ペンタンジオール、２−メチル−２，４−ペンタンジオール、３−メチル−１，５−ペンタンジオール、３−エチル−１，５−ペンタンジオール、３−エチル−２，４−ペンタンジオール、２−エチル−１，３−ヘキサンジオール、２−エチル−２−メチル−１，３−プロパンジオール、２，４−ジメチル−２，４−ペンタンジオール、２，４−ジエチル−１，５−ペンタンジオール、２，２−ジメチル−１，３−ヘキサンジオール、２，５−ジメチル−２，５−ヘキサンジオール、２，２，４−トリメチル−１，３−ペンタンジオール、２，２，４−トリメチル−１，６−ヘキサンジオール、２，４，４−トリメチル−１，６−ヘキサンジオール等が挙げられる。
上記したアルカンジオール系溶剤は、それぞれ単独で、又は２種以上を組み合わせて用いてもよい。
【００２２】
インクには、上記したグリコールエーテル系溶剤及びアルカンジオール系溶剤のうち少なくとも一方が含まれればよく、両方が含まれてもよい。
一実施形態によるグリコールエーテル系溶剤及びアルカンジオール系溶剤の合計量は、インク全量に対し、０．１質量％以上であることが好ましく、より好ましくは０．５質量％以上であり、さらに好ましくは１質量％以上である。これによって、フェライト粒子と分散剤とに対して親和性を高めて、貯蔵安定性をより改善することができる。
一実施形態によるグリコールエーテル系溶剤及びアルカンジオール系溶剤の合計量は、インク全量に対し、１０質量％以下であることが好ましく、より好ましくは８質量％以下であり、さらに好ましくは５質量％以下である。これによって、３種類又は４種類の溶剤の相溶性を維持しながら、貯蔵安定性をより改善することができる。
また、一実施形態によるグリコールエーテル系溶剤及びアルカンジオール系溶剤の合計量は、質量比で、フェライト粒子１に対し０．０１以上であることが好ましく、より好ましくは０．０２以上であり、さらに好ましくは０．０３以上である。
一実施形態によるグリコールエーテル系溶剤及びアルカンジオール系溶剤の合計量は、質量比で、フェライト粒子１に対し１以下であることが好ましく、より好ましくは０．５以下であり、さらに好ましくは０．１以下である。
【００２３】
磁性インクは、上記グリコールエーテル系溶剤及びアルカンジオール系溶剤のうち少なくとも一方とともに、石油系炭化水素溶剤と脂肪酸エステル系溶剤とを含むことが好ましい。
石油系炭化水素溶剤及び脂肪酸エステル系溶剤は、それぞれ１気圧２０℃において同容量の水と均一に混合しない非水溶性を示す溶剤であることが好ましい。
【００２４】
石油系炭化水素溶剤としては、脂肪族炭化水素溶剤、脂環式炭化水素溶剤、芳香族炭化水素溶剤等を挙げることができる。
脂肪族炭化水素溶剤及び脂環式炭化水素溶剤としては、パラフィン系、イソパラフィン系、ナフテン系等の非水系溶剤を挙げることができる。市販品としては、０号ソルベントＬ、０号ソルベントＭ、０号ソルベントＨ、カクタスノルマルパラフィンＮ−１０、カクタスノルマルパラフィンＮ−１１、カクタスノルマルパラフィンＮ−１２、カクタスノルマルパラフィンＮ−１３、カクタスノルマルパラフィンＮ−１４、カクタスノルマルパラフィンＮ−１５Ｈ、カクタスノルマルパラフィンＹＨＮＰ、カクタスノルマルパラフィンＳＨＮＰ、アイソゾール３００、アイソゾール４００、テクリーンＮ−１６、テクリーンＮ−２０、テクリーンＮ−２２、ＡＦソルベント４号、ＡＦソルベント５号、ＡＦソルベント６号、ＡＦソルベント７号、ナフテゾール１６０、ナフテゾール２００、ナフテゾール２２０（いずれもＪＸＴＧエネルギー株式会社製）；アイソパーＧ、アイソパーＨ、アイソパーＬ、アイソパーＭ、エクソールＤ４０、エクソールＤ６０、エクソールＤ８０、エクソールＤ９５、エクソールＤ１１０、エクソールＤ１３０（いずれもエクソンモービル社製）；モレスコホワイトＰ−４０、モレスコホワイトＰ−６０、モレスコホワイトＰ−７０、モレスコホワイトＰ−８０、モレスコホワイトＰ−１００、モレスコホワイトＰ−１２０、モレスコホワイトＰ−１５０、モレスコホワイトＰ−２００、モレスコホワイトＰ−２６０、モレスコホワイトＰ−３５０Ｐ（いずれも株式会社ＭＯＲＥＳＣＯ製）等を好ましく挙げることができる。
芳香族炭化水素溶剤としては、グレードアルケンＬ、グレードアルケン２００Ｐ（いずれもＪＸＴＧエネルギー株式会社製）、ソルベッソ１００、ソルベッソ１５０、ソルベッソ２００、ソルベッソ２００ＮＤ（いずれもＪＸＴＧエネルギー株式会社製）等を好ましく挙げることができる。
上記した石油系炭化水素溶剤は、それぞれ単独で使用してもよく、単一の相を形成する限り２種以上を組み合わせて用いてもよい。
石油系炭化水素溶剤の蒸留初留点は、１００℃以上であることが好ましく、１５０℃以上であることがより好ましく、２００℃以上であることが一層好ましい。蒸留初留点はＪＩＳ  Ｋ００６６「化学製品の蒸留試験方法」に従って測定することができる。
【００２５】
石油系炭化水素溶剤は、インク全量に対し、５質量％以上であることが好ましく、より好ましくは１０質量％以上であり、さらに好ましくは３０質量％以上である。この範囲で、比較的低粘度の石油系炭化水素溶剤を含むことで、インク全体の高粘度化を防止し、貯蔵安定性をより改善することができる。
石油系炭化水素溶剤は、インク全量に対し、７０質量％以下であることが好ましく、より好ましくは５０質量％以下であり、さらに好ましくは４５質量％以下である。この範囲で、低極性の石油系炭化水素溶剤の配合量を制限することで、溶剤全体の極性を高めて、溶剤への分散剤の溶解性を促進し、フェライト粒子の分散安定性をより改善することができる。
【００２６】
脂肪酸エステル系溶剤としては、１分子中の炭素数が１２〜３０、好ましくは１４〜２４であることが好ましく、例えば、イソノナン酸イソノニル、イソノナン酸イソデシル、イソノナン酸エチルヘキシル、ラウリン酸メチル、ラウリン酸イソプロピル、ラウリン酸ヘキシル、ミリスチン酸イソプロピル、パルミチン酸イソプロピル、パルミチン酸ヘキシル、パルミチン酸イソオクチル、パルミチン酸イソステアリル、オレイン酸メチル、オレイン酸エチル、オレイン酸イソプロピル、オレイン酸ブチル、オレイン酸ヘキシル、リノール酸メチル、リノール酸エチル、リノール酸イソブチル、ステアリン酸ブチル、ステアリン酸ヘキシル、ステアリン酸イソオクチル、イソステアリン酸イソプロピル、ネオペンタン酸イソデシル、ネオペンタン酸２−オクチルデシル、大豆油メチル、大豆油イソブチル、トール油メチル、トール油イソブチル等を好ましく挙げることができる。
上記した脂肪酸エステル系溶剤は、それぞれ単独で使用してもよく、単一の相を形成する限り２種以上を組み合わせて用いてもよい。
脂肪酸エステル系溶剤の沸点は、１５０℃以上であることが好ましく、２００℃以上であることがより好ましく、２５０℃以上であることがさらに好ましい。なお、沸点が２５０℃以上の脂肪酸エステル系溶剤には、沸点を示さない溶剤も含まれる。
【００２７】
脂肪酸エステル系溶剤は、インク全量に対し、１質量％以上であることが好ましく、より好ましくは５質量％以上であり、さらに好ましくは１０質量％以上である。この範囲で、高極性の脂肪酸エステル系溶剤を含むことで、溶剤全体の極性を高めて、溶剤への分散剤の溶解性を促進し、フェライト粒子の分散安定性をより改善することができる。
脂肪酸エステル系溶剤は、インク全量に対し、５０質量％以下であることが好ましく、より好ましくは３０質量％以下であり、さらに好ましくは２０質量％以下である。この範囲で、比較的高粘度の脂肪酸エステル系溶剤の配合量を制限することで、インク全体の高粘度化を防止し、貯蔵安定性をより改善することができる。
【００２８】
一実施形態によるグリコールエーテル系溶剤及びアルカンジオール系溶剤と、石油系炭化水素溶剤と、脂肪酸エステル系溶剤との合計量は、インク全量に対して９０質量％以下が好ましく、８０質量％以下がより好ましく、７０質量％以下がより好ましい。
また、一実施形態によるグリコールエーテル系溶剤及びアルカンジオール系溶剤と、石油系炭化水素溶剤と、脂肪酸エステル系溶剤との合計量は、インク全量に対して４０質量％以上が好ましく、５０質量％以上がより好ましい。
【００２９】
一実施形態によるグリコールエーテル系溶剤及びアルカンジオール系溶剤と、石油系炭化水素溶剤と、脂肪酸エステル系溶剤との合計量に対して、一実施形態によるグリコールエーテル系溶剤及びアルカンジオール系溶剤の合計量は、３０質量％以下が好ましく、２０質量％以下がより好ましく、１０質量％以下が好ましい。
また、一実施形態によるグリコールエーテル系溶剤及びアルカンジオール系溶剤と、石油系炭化水素溶剤と、脂肪酸エステル系溶剤との合計量に対して、一実施形態によるグリコールエーテル系溶剤及びアルカンジオール系溶剤の合計量は、０．５質量％以上が好ましく、１質量％以上がより好ましく、３質量％以上がさらに好ましい。
これによって、３種類の溶剤の相溶性を維持しながら、一実施形態によるグリコールエーテル系溶剤及びアルカンジオール系溶剤のうち少なくとも一方によって、フェライト粒子と分散剤とに対する親和性を高めて、フェライト粒子の分散安定性をより改善することができる。
【００３０】
石油系炭化水素溶剤と脂肪酸エステル系溶剤との質量比は９０：１０〜３０：７０であることが好ましく、より好ましくは８０：２０〜４０：６０であり、さらに好ましくは７０：３０〜５０：５０である。この範囲で、低極性の石油系炭化水素溶剤と高極性の脂肪酸エステル系溶剤との極性のバランスを好ましい範囲として、インク全体の貯蔵安定性をより改善することができる。
石油系炭化水素溶剤と脂肪酸エステル系溶剤との質量比が９０：１０以上、特に８０：２０以上で脂肪酸エステル系溶剤の配合量が多くなることで、混合溶剤の極性成分を確保して、分散剤の溶解性を促進して、フェライト粒子の分散安定性をより改善することができる。
石油系炭化水素溶剤と脂肪酸エステル系溶剤との質量比が３０：７０以下で脂肪酸エステル系溶剤の配合量が少なくなることで、混合溶剤に比較的低粘度の石油系炭化水素溶剤の配合量を確保して、インク全体の高粘度化を防止し、貯蔵安定性をより改善することができる。
【００３１】
インクには、上記したグリコールエーテル系溶剤及びアルカンジオール系溶剤のうち少なくとも一方とともに、石油系炭化水素溶剤と脂肪酸エステル系溶剤との相溶性を損なわずに、単一相を形成できる範囲で、その他の非水系溶剤を含ませてもよい。
その他の非水系溶剤としては、例えば、イソミリスチルアルコール、イソパルミチルアルコール、イソステアリルアルコール、１−オクタデカノール、オレイルアルコール、イソエイコシルアルコール、デシルテトラデカノール等の１分子中の炭素数が６以上、好ましくは１２〜２０の１価の高級アルコール系溶剤；ラウリン酸、イソミリスチン酸、パルミチン酸、イソパルミチン酸、α−リノレン酸、リノール酸、オレイン酸、イソステアリン酸等の１分子中の炭素数が１２以上、好ましくは１４〜２０の高級脂肪酸系溶剤等が挙げられる。
【００３２】
磁性インクは、分散剤を含むことができる。分散剤は、溶剤中にフェライト粒子を安定して分散させることができる。
分散剤としては、アニオン性化合物、カチオン性化合物、両性化合物、非イオン性化合物のいずれであってもよいが、親油性基とともにフェライト粒子に親和性を有する極性基を有する分散剤であることが好ましい。極性基を有する分散剤としては、酸性基、塩基性基、又はこれらの組み合わせを備えることが好ましい。また、分散剤としては、低分子量化合物又は高分子量化合物であってよいが、インク中での安定性の観点から、高分子量化合物である高分子分散剤を好ましく用いることができる。
【００３３】
フェライト粒子表面にはヒドロキシ基が存在すると考えられ、このフェライト粒子表面のヒドロキシ基は、結合する金属元素によって、酸としても塩基としても作用すると推測される。フェライト粒子表面のヒドロキシ基との酸塩基相互作用によって、フェライト粒子への分散剤の吸着性をより高めるために、分散剤としては、酸価、アミン価、又はこれらの組み合わせを有する分散剤を用いることが好ましい。
【００３４】
例えば、コバルトを含むフェライト粒子では、コバルトに結合するヒドロキシ基が酸として作用するか塩基として作用するか定かではないが、酸価を有する分散剤との組み合わせが好適であることから、コバルトに結合するヒドロキシ基は塩基として作用すると推測される。マンガン又は鉄に結合するヒドロキシ基も同様の傾向がある。この場合、酸価を有する分散剤を好ましく用いることができる。一方で、分散剤のアミン価が高すぎるとフェライト粒子と反発するように作用するため、分散剤のアミン価は制限されることが好ましい。
【００３５】
酸価及び／又はアミン価を有する分散剤は、フェライト粒子との酸塩基相互作用が大きい反面で、極性が高くなって非水系溶剤への溶解性が低下する問題がある。このような場合においても、一実施形態によるグリコールエーテル系溶剤及びアルカンジオール系溶剤のうち少なくとも一方を含むことで、非水系溶剤に対して酸価及び／又はアミン価を有する分散剤の溶解性を高め、分散効果をより高めることができる。非水系溶剤への分散剤の溶解性を高める観点から、分散剤は酸価を有することが好ましく、さらに分散剤は酸価がアミン価より大きい範囲でアミン価を有することが好ましい。
【００３６】
分散剤は、酸価を有することが好ましい。
分散剤の酸価は、１ｍｇＫＯＨ／ｇ以上が好ましく、より好ましくは５ｍｇＫＯＨ／ｇ以上であり、さらに好ましくは１０ｍｇＫＯＨ／ｇ以上である。分散剤の酸価は、特に限定されないが、１２０ｍｇＫＯＨ／ｇ以下であってよく、１００ｍｇＫＯＨ／ｇ以下であってよい。
ここで、酸価は、不揮発分１ｇ中の全酸性成分を中和するのに必要な水酸化カリウムのミリグラム数である。以下同じである。
【００３７】
分散剤は、アミン価を有してもよい。
分散剤のアミン価は、１５ｍｇＫＯＨ／ｇ以下が好ましく、より好ましくは１０ｍｇＫＯＨ／ｇ以下であり、さらに好ましくは５ｍｇＫＯＨ／ｇ以下である。分散剤のアミン価は、特に限定されないが、１ｍｇＫＯＨ／ｇ以上であってよい。
ここで、アミン価は、不揮発分１ｇに含まれる全塩基性成分を中和するのに必要な塩酸と当量の水酸化カリウムのミリグラム数である。以下同じである。
【００３８】
分散剤は、酸価及びアミン価を有してもよい。この場合、分散剤において、酸価はアミン価よりも大きいことが好ましく、酸価とアミン価との差は１ｍｇＫＯＨ／ｇ以上が好ましく、３ｍｇＫＯＨ／ｇ以上がより好ましく、５ｍｇＫＯＨ／ｇ以上がさらに好ましい。
【００３９】
酸価を有する分散剤としては、酸性基を有する分散剤を好ましく用いることができる。
酸性基としては、リン酸基、カルボキシ基、スルホン酸基、リン酸エステル基、硫酸エステル基、硝酸エステル基、亜リン酸基、ホスホン酸基、スルフィン酸基等を挙げることができる。なかでも、リン酸基、カルボキシ基、リン酸エステル基が好ましい。これらは、１分子中に１種、又は２種以上組み合わせて含まれてもよい。
【００４０】
酸性基を有する分散剤は、オリゴマー、ポリマー、低分子量化合物のいずれであってもよい。
オリゴマー又はポリマーとしては、例えば、ポリ（メタ）アクリル系樹脂、ポリエステル系樹脂、ポリビニル系樹脂、ポリエーテル系樹脂等を用いることができる。また、これらの樹脂を構成するモノマー又はオリゴマーの共重合体を用いてもよい。
【００４１】
酸性基としては、オリゴマー又はポリマーを構成するモノマーに由来して、各構成単位の主鎖又は側鎖に酸性基が結合して導入されていてもよい。また、酸性基としては、オリゴマー又はポリマーをリン酸エステル等を用いてエステル化して導入されていてもよい。
酸性基を有する分散剤がオリゴマー又はポリマーである場合は、重量平均分子量が５００〜１００００であることが好ましく、より好ましくは１０００〜５０００である。
【００４２】
酸性基を有する分散剤としては、酸性基を有するポリエステル、酸性基を有するポリエーテルを好ましく用いることができる。
酸性基を有するポリエステルとしては、例えば、ポリエステルのリン酸エステル、硫酸エステル、硝酸エステル、炭酸エステル、カルボン酸エステル等を挙げることができる。なかでも、ポリカプロラクトン、ポリバレロラクトンのリン酸エステル、硫酸エステル、硝酸エステル、炭酸エステル、カルボン酸エステルを好ましく用いることができる。また、酸性基を有するポリエステルとしては、１２−ヒドロキシステアリン酸等の水酸基を有する高級脂肪酸の多量体を用いることができる。
酸性基を有するポリエーテルとしては、ポリエチレングリコールやポリプロピレングリコール等のポリエーテルのリン酸エステル、硫酸エステル、硝酸エステル、炭酸エステル、カルボン酸エステル等を挙げることができる。なかでも、ポリエーテルのリン酸エステルを好ましく用いることができる。
【００４３】
また、酸性基を有する分散剤として、１２−ヒドロキシステアリン酸等の高級脂肪酸等の低分子量化合物を用いることができる。
【００４４】
アミン価を有する分散剤としては、塩基性基を有する分散剤を用いることができる。
塩基性基としては、例えば、一級、二級又は三級アミノ基、アミド基、イミノ基、ピリジル基、ピロリドン基等を挙げることができ、なかでも一級、二級又は三級アミノ基、イミノ基、ピロリドン基であることが好ましい。
【００４５】
塩基性基を有する分散剤としては、例えば、変性ポリウレタン、塩基性基含有ポリ（メタ）アクリレート、塩基性基含有ポリエステル、ポリエステルアミン、ポリエステルポリアミン、ポリエステルポリイミン、ポリエーテルポリアミン、ポリアルキロールアミノアマイドとその塩、ビニルピロリドン系共重合体、長鎖ポリアミノアマイドと高分子量酸エステルの塩、長鎖ポリアミノアマイドと極性酸エステルの塩、ビニルピロリドンと長鎖アルケンとの共重合体、第４級アンモニウム塩、ステアリルアミンアセテート等のアルキルアミン塩、脂肪酸アミン塩等を挙げることができる。
また、塩基性基を有する分散剤としては、親油性ブロックと塩基性ブロックとを有するブロック共重合体を用いることができ、例えば、炭素数１２以上のアルキル基を有する単位を含む第１ブロックと、塩基性基を有する単位を含む第２ブロックとを有するブロック共重合体等を用いることができる。
【００４６】
酸価及びアミン価を有する分散剤としては、上記した酸性基及び塩基性基を有する分散剤を用いることができる。
酸価及びアミン価を有する分散剤としては、例えば、酸性基を有する重合体に塩基性基を導入したもの、酸性基を有する重合体の第４級アンモニウム塩、アルキルアミン塩、又は脂肪酸アミン塩；塩基性基を有する重合体に酸性基を導入したもの、塩基性基を有する重合体をリン酸エステル等を用いてエステル化したもの等を挙げることができる。
【００４７】
市販されているもののなかから、酸価を有する分散剤として用いることができるものとしては、例えば、日本ルーブルゾール株式会社製「ソルスパース３０００、２１０００、３６０００、４１０００；クローダジャパン株式会社製「Ｈｙｐｅｒｍｅｒ  ＫＤ−４、ＫＤ−８」；ビックケミー・ジャパン株式会社製「ＤＩＳＰＥＲＢＹＫ２０９６」等を挙げることができる。
【００４８】
市販されているもののなかから、アミン価を有する分散剤、又は酸価及びアミン価を有する分散剤として用いることができるものとしては、例えば、日本ルーブリゾール株式会社製「ソルスパース９０００、１１２００、１３９４０、１６０００、１７０００、１８０００、１９０００、２４０００、３２０００、３８５００、３９０００、７１０００、２２０００、２８０００」（いずれも商品名）、ビックケミー・ジャパン株式会社製「ＤＩＳＰＥＲＢＹＫ１０９、２１６３、２１５５、９０７７」（いずれも商品名）；花王株式会社製「アセタミン２４、８６」（いずれも商品名）；楠本化成株式会社製「ディスパロンＫＳ−８６０、ＫＳ−８７３Ｎ４」（いずれも商品名）；クローダジャパン株式会社製「Ｈｙｐｅｒｍｅｒ  ＫＤ−３」；味の素ファインテクノ株式会社製「アジスパーＰＢ−８２１」；ＩＳＰ社製「ＡＮＴＡＲＯＮ  Ｖ−２１６、Ｖ−２２０」；川研ファインケミカル株式会社製「ヒノアクトＫＦ１３００Ｍ」等を挙げることができる。
【００４９】
上記した酸価及びアミン価を有する分散剤の中でも、酸価がアミン価よりも大きい分散剤として、「ソルスパース９０００、１６０００、１７０００」、「アジスパーＰＢ−８２１」等を好ましく用いることができる。
【００５０】
分散剤として、上記した酸価及び／又はアミン価を有する分散剤に代えて、又はこれに加えて、非イオン性分散剤を用いてもよい。
非イオン性分散剤としては、例えば、ポリオキシエチレンアルキルエーテル系分散剤、ポリオキシプロピレンアルキルエーテル系分散剤、ポリオキシエチレンアルキルフェニルエーテル系分散剤、ポリオキシプロピレンアルキルフェニルエーテル系分散剤、ポリオキシエチレン脂肪酸エステル系分散剤、ポリオキシプロピレン脂肪酸エステル系分散剤、ソルビタン脂肪酸エステル系分散剤、ポリオキシエチレンソルビタン脂肪酸エステル系分散剤、ポリオキシエチレンソルビトール脂肪酸エステル系分散剤、グリセリン脂肪酸エステル系分散剤等を挙げることができる。
【００５１】
上記した分散剤は、１種を単独で、又は２種以上を組み合わせて用いてもよい。
分散剤は、上記フェライト粒子を十分にインク中に分散可能な量であれば足り、適宜設定できる。
分散剤は、質量比でフェライト粒子１に対し０．０１〜１で配合することができ、好ましくは０．０５〜０．５であり、さらに好ましくは０．１〜０．３である。また、分散剤は、インク全量に対し、０．１〜１５質量％で配合することができ、好ましくは１〜１０質量％である。
【００５２】
上記各成分に加えて、磁性インクには、本発明の効果を損なわない限り、各種添加剤が含まれていてよい。添加剤としては、ノズルの目詰まり防止剤、酸化防止剤、導電率調整剤、粘度調整剤、表面張力調整剤、酸素吸収剤等を適宜添加することができる。これらの種類は、特に限定されることはなく、当該分野で使用されているものを用いることができる。
【００５３】
インクは、上記した各成分を混合することで作製することができる。好ましくは、各成分を一括ないし分割して混合及び撹拌してインクを作製することができる。具体的には、ビーズミル等の分散機に全成分を一括又は分割して投入して分散させ、所望により、メンブレンフィルター等のろ過機を通すことにより調製できる。
【００５４】
油性磁性インクの印刷方法は、特に限定されず、インクジェット印刷方法、オフセット印刷方法、スクリーン印刷方法、グラビア印刷方法、フレキソ印刷方法等のいずれでもよい。なかでも、記録媒体に非接触で、オンデマンドで簡便かつ自在に画像形成をすることができるため、インクジェット印刷方法が好ましい。一実施形態による油性磁性インクは、低粘度で貯蔵安定性が良好であるため、インクジェットインクとして好ましく用いることができる。
【００５５】
インクジェットインクを用いた印刷方法としては、磁性インクを吐出させることができるのであれば特に限定されない。インクジェット記録装置を用いる場合は、デジタル信号に基づいてインクジェットヘッドから本実施形態によるインクを吐出させ、吐出されたインク液滴を記録媒体に付着させるようにすることが好ましい。
【００５６】
インクジェットインクとしての粘度は、インクジェット記録システムの吐出ヘッドのノズル径や吐出環境等によってその適性範囲は異なるが、一般に、２３℃において５〜５０ｍＰａ・ｓであることが好ましく、１０〜４０ｍＰａ・ｓであることがより好ましく、１０〜３５ｍＰａ・ｓ程度であることが、一層好ましい。ここで、インク粘度は、２３℃においてせん断速度を１ｓ−１から１０００ｓ−１に変動させたときの１０００ｓ−１における測定値である。
【００５７】
本実施形態において、記録媒体は、特に限定されるものではなく、普通紙、コート紙、特殊紙等の印刷用紙等を用いることができる。
ここで、普通紙とは、通常の紙の上にインクの受容層やフィルム層等が形成されていない紙である。普通紙の一例としては、上質紙、中質紙、ＰＰＣ用紙、更紙、再生紙等を挙げることができる。普通紙は、数μｍ〜数十μｍの太さの紙繊維が数十から数百μｍの空隙を形成しているため、インクが浸透しやすい紙となっている。
【００５８】
また、コート紙としては、マット紙、光沢紙、半光沢紙等のインクジェット用コート紙や、いわゆる塗工印刷用紙を好ましく用いることができる。ここで、塗工印刷用紙とは、従来から凸版印刷、オフセット印刷、グラビア印刷等で使用されている印刷用紙であって、上質紙や中質紙の表面にクレーや炭酸カルシウム等の無機顔料と、澱粉等のバインダーを含む塗料により塗工層を設けた印刷用紙である。塗工印刷用紙は、塗料の塗工量や塗工方法により、微塗工紙、上質軽量コート紙、中質軽量コート紙、上質コート紙、中質コート紙、アート紙、キャストコート紙等に分類される。
【実施例】
【００５９】
以下、本発明を実施例により詳細に説明する。本発明は以下の実施例に限定されない。
【００６０】
「インクの作製」
インク処方を表１〜表３に示す。各表に示す成分割合にしたがって、各成分を混合した。その後、ビーズミル（株式会社セイワ技研製「ロッキングミルＲＭ−１０」）で６０Ｈｚの設定で、２時間分散させて、インクを得た。
【００６１】
用いたフェライト粒子は次のように準備した。
（マンガンコバルトフェライト）
二塩化コバルト六水和物（ＣｏＣｌ２・６Ｈ２Ｏ）、二塩化マンガン四水和物（ＭｎＣｌ２・４Ｈ２Ｏ）、及び塩化第二鉄六水和物（ＦｅＣｌ３・６Ｈ２Ｏ）を含む原料水溶液を、水酸化ナトリウム水溶液に添加し、この混合溶液を撹拌し、撹拌後に磁性体粒子を析出させ、単離し、マンガンコバルトフェライトを得た。
【００６２】
（コバルトフェライト）
硝酸コバルト六水塩と硝酸鉄（ＩＩＩ）九水塩を含む原料水溶液に、水酸化ナトリウム水溶液を添加し、２０分間撹拌し、鉄とコバルトの共沈殿物を生成させた。この共沈殿物をオートクレーブに入れ、２６０℃で４時間加熱した。水熱処理の終わった沈殿物を水洗し、コバルトフェライトを得た。
【００６３】
（マグネタイト）
硫酸第１鉄（ＩＩ）七水塩と硝酸第２鉄（ＩＩＩ）九水塩を含む原料水溶液を、水酸化ナトリウム水溶液に滴下し、２５℃以下に制御し、窒素ガスによるバブリング処理して、第１鉄と第２鉄の共沈殿物を生成させた。この共沈殿物をオートクレーブに入れ、１５０℃２時間で水熱処理して、マグネタイトを得た。
【００６４】
用いた成分は、以下の通りである。
ソルスパース１６０００：日本ルーブリゾール株式会社製、酸価２０ｍｇＫＯＨ／ｇ；アミン価１ｍｇＫＯＨ／ｇ、有効成分１００質量％。
ソルスパース３０００：日本ルーブリゾール株式会社製、酸価３３ｍｇＫＯＨ／ｇ；アミン価０ｍｇＫＯＨ／ｇ、有効成分１００質量％。
ソルスパース１８０００：日本ルーブリゾール株式会社製、酸価＜５ｍｇＫＯＨ／ｇ；アミン価２ｍｇＫＯＨ／ｇ、有効成分１００質量％。
ソルスパース９０００：日本ルーブリゾール株式会社製、酸価２０ｍｇＫＯＨ／ｇ；アミン価１７ｍｇＫＯＨ／ｇ、有効成分１００質量％。
アイソパーＬ：石油系炭化水素溶剤、エクソンモービル社製。
ＡＦ-４：石油系炭化水素溶剤、ＪＸＴＧエネルギー株式会社製。
【００６５】
イソノナン酸エチルヘキシル：高級アルコール工業株式会社製「ＥＳ１０８１０９」。
ネオペンタン酸イソデシル：高級アルコール工業株式会社製「ネオライト１００Ｐ」。
トリエチレングリコールモノブチルエーテル：東京化成工業株式会社製。
テトラエチレングリコールモノブチルエーテル：ＫＨネオケム株式会社製「ブチセノール４０」。
ジエチレングリコールモノエチルエーテル：東京化成工業株式会社製。
１，５−ペンタンジオール：東京化成工業株式会社製。
１，６−ヘキサンジオール：東京化成工業株式会社製。
２−エチル−１，３−ヘキサンジオール：ＫＨネオケム株式会社製「オクタンジオール」。
１，１０−デカンジオール：東京化成工業株式会社製。
【００６６】
「評価」
上記各インクについて、以下の方法により評価を行った。これらの評価結果を各表に併せて示す。
【００６７】
（インク粘度）
インク粘度は、インク作製直後に、レオメーターＭＣＲ１０２（Ａｎｔｏｎｐａａｒ社製）を用いて、２３℃においてせん断速度を１ｓ−１から１０００ｓ−１に６０秒間でリニアに変動させて測定した。表中にせん断速度１ｓ−１と１０００ｓ−１における粘度を示す。
せん断速度１ｓ−１における粘度から、フェライト粒子への分散剤の初期の吸着性を予測することができると考える。また、せん断速度１０００ｓ−１における粘度から、インク全体の粘性を確認することができる。
【００６８】
（貯蔵安定性）
まず、インク作製直後のインク粘度を測定した。次に、インクをスクリューバイアル瓶に入れ、７０℃で２週間保管した。その後、インクをサンプリングして保管後のインク粘度を測定した。下記式にしたがって粘度変化率を算出し、下記の基準で評価した。なお、粘度測定は、上記インク粘度と同様の方法で測定し、下記式では１０００ｓ−１での粘度値を用いた。
粘度変化率（％）＝（保管後の粘度−作製直後の粘度）／作製直後の粘度×１００
Ａ：粘度変化率の絶対値が３％以内。
Ｂ：粘度変化率の絶対値が３％より大きく５％以内。
Ｃ：粘度変化率の絶対値が５％より大きい。
【００６９】
【表１】
2020117618.tif 000002
【００７０】
【表２】
2020117618.tif 000003
【００７１】
【表３】
2020117618.tif 000004
【００７２】
各表に示す通り、各実施例のインクは貯蔵安定性が良好であった。
実施例１〜１１では、石油系炭化水素溶剤、脂肪酸エステル系溶剤、及びグリコールエーテル系溶剤を用いている。
実施例３、４では、分散剤の種類が異なるが、良好な結果が得られた。また、実施例１、２と実施例３、４の結果から、分散剤が酸価とともにアミン価を有することで、インクの初期粘度が１ｓ−１の粘度値で低くなり、フェライト粒子への分散剤の吸着性が改善されることが確認できる。
実施例５では、グリコールエーテル系溶剤の種類が異なるが、良好な結果が得られた。
実施例６では、分散剤の種類が異なるが、良好な結果が得られた。また、実施例１と実施例６の結果から、分散剤の酸価が５ｍｇＫＯＨ／ｇ以上であることで、貯蔵安定性がさらに改善されることが確認できる。
【００７３】
実施例７では、石油系炭化水素溶剤が多く配合される例であり、良好な結果が得られた。また、実施例１と実施例７の結果から、石油系炭化水素溶剤と脂肪酸エステル系溶剤との質量比が８０：２０以上で脂肪酸エステル系溶剤の配合量が多いことで、貯蔵安定性がさらに改善されることが確認できる。
実施例８では、石油系炭化水素溶剤及び脂肪酸エステル系溶剤がそれぞれ異なる例であり、良好な結果が得られた。
【００７４】
実施例９では、分散剤の種類が異なるが、良好な結果が得られた。また、実施例１と実施例９の結果から、分散剤のアミン価が１５ｍｇＫＯＨ／ｇ以下であることで、貯蔵安定性がさらに改善されることが確認できる。
実施例１０、１１では、フェライト粒子の種類が異なるが、良好な結果が得られた。
【００７５】
比較例１では、グリコールエーテル系溶剤及びアルカンジオール系溶剤のいずれも含まれず、貯蔵安定性が低下した。
比較例２では、脂肪酸エステル系溶剤が含まれず、フェライト粒子の分散安定性が低下し、貯蔵安定性が低下した。また、初期粘度も高かった。
比較例２では、インクの初期粘度が１ｓ−１の粘度値で高くなっている。これは、脂肪酸エステル系溶剤が含まれないことで、溶剤への分散剤の溶解性が低下し、分散剤とフェライト粒子とのなじみ性が十分に得られずに、初期のフェライト粒子の分散性が低下した結果と考えられる。
比較例３では、石油系炭化水素溶剤が含まれず、脂肪酸エステル系溶剤の配合量が多くなり、インク全体の粘度が上昇し、貯蔵安定性が低下した。
比較例３では、インクの初期粘度が１ｓ−１の粘度値で高くなっている。これは、石油系炭化水素溶剤が含まれないことで、脂肪酸エステル系溶剤の配合量が多くなって初期のインク粘度が上昇した結果と考えられる。
比較例４では、グリコールエーテル系溶剤のＲ１の炭素数が少ないため、貯蔵安定性を改善する効果が得られなかった。
【００７６】
実施例１２〜１６では、石油系炭化水素溶剤、脂肪酸エステル系溶剤、及びアルカンジオール系溶剤を用いている。
実施例１２、１３、１６は、アルカンジオール系溶剤の配合量が異なる例であり、良好な結果が得らえた。また、アルカンジオール系溶剤の配合量が１質量％以上である実施例１２、１３で貯蔵安定性がさらに改善されることが確認できる。
実施例１３〜１５は、アルカンジオール系溶剤が異なる例であり、良好な結果が得られた。また、アルカンジオール系溶剤の炭素数が７以上である実施例１３、１５で貯蔵安定性がさらに改善されることが確認できる。
比較例５では、アルカンジオール系溶剤の炭素数が少ないため、貯蔵安定性を改善する効果が得られなかった。